Podtech/llm-jp-corpus-v4-ja_patent huggingface dataset:
(57)【要約】【課題】診察または治療の際、愛玩動物が抵抗し暴れ出した場合に、愛玩動物の牙や爪から獣医の顔、胸または腕を保護することができる診察用補助具を提供する。【解決手段】愛玩動物を診察または治療する際、獣医が自分の身を防ぐために使用する診察用補助具１であって、板状本体２と、該板状本体２に設置された把手具３と、前記板状本体２に設けられた、板状本体２を顔の前面に配設した状態で愛玩動物を目視できる開孔部６とを備える。【選択図】図１
0003124036.tif 000002
【実用新案登録請求の範囲】
【請求項１】
愛玩動物を診察または治療する際、獣医が自分の身を防ぐために使用する診察用補助具であって、板状本体と、該板状本体に設置された把手具と、前記板状本体に設けられた、板状本体を顔の前面に配設した状態で愛玩動物を目視できる開孔部とを備えることを特徴とする診察用補助具。
【請求項２】
前記板状本体を軟質木材で形成した請求項１記載の診察用補助具
【請求項３】
前記板状本体が、略矩形状を呈し、顔面から上胸の辺りを覆うことができる大きさである請求項１または２記載の診察用補助具。
【請求項４】
前記板状本体の四隅を湾曲状に形成した請求項１〜３のうちいずれか一項記載の診察用補助具。
【考案の詳細な説明】
【技術分野】
【０００１】
本考案は、診察用補助具に関し、詳しくは獣医が愛玩動物を診察または治療する際、愛玩動物の牙や爪から顔、胸または腕を保護することができる診察用補助具に関する。
【背景技術】
【０００２】
従来、犬や猫などの愛玩動物の診療現場においては触診の必要性から、獣医は素手で愛玩動物を診察し、治療にあたっている。また、かかる診察または治療用の補助具としては、例えば、動物を検査するために考案された、直腸検査の際に術者の衣服が糞で汚れないようにする使い捨ての直腸検査用手袋等が知られている（例えば特許文献１参照）。
【特許文献１】実開平０５―２０７１８号公報（第１-２頁、図１、図２）
【考案の開示】
【考案が解決しようとする課題】
【０００３】
犬や猫などの愛玩動物は鋭い爪や牙をもっているため、診療現場において診察または治療の際に、暴れて噛みついたり爪で引っ掻いたりして獣医の顔、胸または腕が傷つけられることがあった。また、特許文献1記載の使い捨ての直腸検査用手袋は、糞の汚れから肩、脇下、胸の辺りの衣服をまもることを主目的としており、診察または治療の際の獣医の顔、胸または腕を保護するものではなかった。
【０００４】
そこで本考案の目的は、診察または治療の際、愛玩動物が抵抗し暴れ出した場合に、愛玩動物の牙や爪から獣医の顔、胸または腕を保護することができる診察用補助具を提供することにある。
【課題を解決するための手段】
【０００５】
本考案者は、上記課題を解決すべく鋭意検討した結果、所定形状の診療用補助具により上記目的を達成し得ることを見出し、本考案を完成するに至った。
【０００６】
即ち、本考案の診察用補助具は、愛玩動物の疾病を診察・治療する際、獣医が自分の身を防ぐために使用する診察用補助具であって、かかる補助具は、板状本体と、板状本体に設置された把手具と、前記板状本体に設けられた、板状本体を顔の前面に配設した状態で愛玩動物を目視できる開孔部とを備えることを特徴とするものである。
【０００７】
本考案の診察用補助具は、前記板状本体を軟質木材で形成することが好ましい。また、前記板状本体は、略矩形状を呈し、顔面から上胸の辺りを覆うことができる大きさであることが好ましい。さらに、前記板状本体の四隅を湾曲状に形成してもよい。
【考案の効果】
【０００８】
本考案の診察用補助具によれば、板状本体の開孔部より愛玩動物を目視しながら診察または治療することができる。獣医と愛玩動物との間に診察用補助具を介在させることにより、愛玩動物が暴れ出して爪や牙を立てた場合において、獣医の顔、胸または腕を保護することができる。
【考案を実施するための最良の形態】
【０００９】
以下、本考案の診察用補助具における実施の形態を図面に基づいて説明する。
図示する診察用補助具１は、診察または治療する際、愛玩動物が抵抗し暴れ出した場合でも、その牙や爪から獣医の顔、胸または腕を保護することを可能とするものであり、板状本体２と、板状本体２に設置された把手具３と、板状本体２を顔の前面に配設した状態で愛玩動物を目視できる開孔部６とからなる。
【００１０】
板状本体２の材質は、軽量で適度の硬度を有し、加工が容易なものであれば特に制限されるものではないが、例えば、木材、軽金属、合成樹脂等で形成することが好ましく、特には愛玩動物の爪等の保護の観点から、軟質木材が好ましい。また、板状本体２は、全体が略矩形状を呈し、顔面から上胸の辺りを覆うことができる大きさであることが獣医の顔、胸または腕を保護するのに好適である。さらに、板状本体２は、安全性を考慮して四隅を湾曲状に形成してもよい。
【００１１】
板状本体２には、板状本体２を顔の前面に配設する際に把持する把手具３が設置されている。かかる把手具３は、棒状の把持部４と、かかる把持部４の両端に夫々設置された支持部５とからなる。板状本体２の形状が略矩形の場合、支持部５は対角線状に設置することが好ましい。
【００１２】
また、板状本体２には、板状本体２を顔の前面に配設した状態で愛玩動物を目視できる開孔部６が穿設されている。かかる開孔部６は、板状本体２の角部に、好ましくは二個穿設されている。開孔部６の大きさは、愛玩動物を目視するのに十分な大きさであればよく、適宜選定すればよい。
【００１３】
板状本体２に把手具３および開孔部６を設けることで、図２に示すように、獣医ａは片手で把手具３を持ち、診察用補助具１を顔の前面に配設させ、開孔部６から愛玩動物を目視しながら他方の手で診察したり、治療したりすることができ、診察または治療中に愛玩動物が抵抗し暴れ出しても、その牙や爪から獣医の顔、胸または腕を保護することができる。
【図面の簡単な説明】
【００１４】
【図１】本考案の診察用補助具を示す全体斜視図である。
【図２】前記診察用補助具の使用状態を示す。
【符号の説明】
【００１５】
１  診察用補助具
２  板状本体
３  把手具
４  把持部
５  支持部
６  開孔部
ａ  獣医
【図１】
0003124036.tif 000003
【図２】
0003124036.tif 000004
(57)【要約】      （修正有）【課題】ペットの犬を散歩に連れて行く時等、犬が先に走り出し、散歩をさせる人間を引っ張る事がある。これらの状況を改善するために用具を使用し犬が散歩をさせる人間を引っ張る行動を抑制する事を実現する。【解決手段】リードを犬の首輪につけた後、前足の後ろを通るようにリードを胴体に巻きつけ、首輪につけたリード用具のフックにリードを通す。犬が散歩をさせる人間を引っ張った時、軽く胴体を締めるようになり、犬が引っ張ってはいけないことを学習する。これを繰り返す事により散歩をさせる人間を引っ張らないよう習慣付ける用具を提供する。 【選択図】図１
0003124085.tif 000002
【実用新案登録請求の範囲】
【請求項１】
犬の散歩時等で使用するリードとリード用具を首輪に付け、犬の首輪にリードを付けた後、犬の前足の後ろを通し犬の身体を一周させリードを通すリード用具で、開閉ができる環状のフック部分が３６０度、自由に回転できるように2つなぎ合わせた、リードの種類に関係なく使用できる事を特徴とするリード用具。
【考案の詳細な説明】
【技術分野】
【０００１】
本考案は犬の散歩時、首輪に、使用するリードとリード用具を付け、犬の習性および学習能力を利用し、散歩のとき散歩をさせる人間を引っ張ることなく散歩することを目的とするリード用具に関するものである。
【背景技術】
【０００２】
従来の犬の牽引用リードは一方を首輪につなげ、もう一方を手で持つか、腰に巻く方法(たとえば下記、刊行物特許文献1)等があるが、犬の性格などによっては、散歩時等に犬に引っ張られながら散歩している光景をよく見る。小さい犬ならば危険も少ないが、大きい犬の散歩で、散歩をさせる人間の意思とおりに行動しない場合、危険な場合がある。
刊行物一覧
【特許文献１】実用新案出願２００３−１７４９
【考案の開示】
【考案が解決しようとする課題】
【０００３】
散歩時に散歩をさせる人間の意思に反して行う犬の行動、主に先に走り出す行動を制する事を実現することにある。
【課題を解決するための手段】
【０００４】
犬が散歩をさせる人間の前を走り、散歩をさせる人間を引っ張るときにリード用具を使用し胴体に廻したリードが犬の胴体を軽く締める事により、犬に引っ張ってはいけないと言うことを教え、学習させることにより、散歩をさせる人間を引っ張る行動を抑えることとができる。
【考案を実施するための最良の形態】
【０００５】
首輪にリードとリード用具を付け、リードの一方を首輪に装着する。リードを前足の後ろを通し犬の身体を一周させリード用具にリードを通し、散歩をさせる。
【実施例】
【０００６】
以下に本考案の実施例を示すが、請求の範囲は実施例に限定されるものではない。
首輪にリードとリード用具を付け、リードの一方を首輪に装着する。リードを前足の後ろを通し犬の身体を一周させリード用具にリードを通し装着し、散歩をさせる。犬が引っ張り始めたら、胴を締めすぎない程度にリードを引く。犬は引っ張れば引っ張るほど胴が締められるため、散歩をさせる人間を引きずるほど、強引に引っ張ることができない。これを繰り返すうちに引っ張ることはいけないことであることを犬が学習し、犬によってはリード用具を使用しなくても引っ張ることが少なくなる。
【図面の簡単な説明】
【０００７】
【図１】リード用具の斜視図である。
【図２】首輪にリードとリード用具を装着した拡大図である。
【図３】首輪にリードとリード用具を装着した全体図である。
【図４】リード用具を犬に装着した斜視図である。
【符号の説明】
【０００８】
（１）はリード用具のフック部、（２）はリード用具の回転部、（３）は犬の首輪、（４）は首輪についているリードを取り付けるための金具、（５）はリード、（６）はリードのフック部、（７）リード用具。
【図１】
0003124085.tif 000003
【図２】
0003124085.tif 000004
【図３】
0003124085.tif 000005
【図４】
0003124085.tif 000006
(57)【要約】【課題】ペット用籠を提供する。【解決手段】本考案のペット用籠は、小形動物、例えば、ウサギ、鳥類、カメレオン、トカゲ、昆虫を内部で飼うことができ、壁や棚中に嵌入して密合でき、家庭の客間に設置できるもので、ガラス扉により外部からはっきりと内部の様子が見え、更に、客間に溶け込み、壁や棚と一体感を生む。【選択図】図２
0003124030.tif 000002
【実用新案登録請求の範囲】
【請求項１】
ペット用籠であって、本体からなり、
前記本体上方に設置され、内部空気を対外と流通させる通気孔と、
とってを有し、前記本体の正面に設置され、本体内部が見えるガラス扉と、
前記本体の背面挟層に設置され、交換可能な景色片と、
前記本体底部に設置し、とってにより、引き出して排泄物を処理できる汚物槽と、
前記本体内部、且つ、前記汚物槽の上方に設置され、ペットが汚物槽内に落ちないようにする網と、
からなることを特徴とするペット用籠。
【請求項２】
前記本体内部は各種風景を設置できることを特徴とする請求項１に記載のペット用籠。
【請求項３】
前記ガラス扉は、上下左右に開くように設計できることを特徴とする請求項１に記載のペット用籠。
【考案の詳細な説明】
【技術分野】
【０００１】
本考案は、籠に関するものであって、特に、家庭の客間に溶け込むペット用の籠に関するものである。
【背景技術】
【０００２】
一般に、ペットは、籠に入れて、客間に放置されるか、テーブル上に置かれるか、掛けられるかであり、美観には程遠く、現代人の美観に対する要求を満たさない。
【０００３】
図１は、公知技術によるペット籠本体１０を示し、本体１０は飼育空間１２を有し、空間１２でペットは移動する。しかし、ペットを飼う功能以外に、外観は現代人の美観に対する要求を満たさず、特に、家庭の客間やオフィスに溶け込まず、視覚的にいかにして環境に適合させるかが現在の最も重要な課題である。
【考案の開示】
【考案が解決しようとする課題】
【０００４】
本考案は、ペット用籠を提供し、木製、或いは、金属材質の本体を利用し、本体を客間の壁や棚に密合嵌入させ、美観を達成することを目的とする。
【０００５】
本考案は、ペット籠を提供し、ペット籠本体は、汚物槽を有し、汚物槽によりペットの排泄物を除去し、ペットの居住空間を更に清潔にすることをもう一つの目的とする。
【０００６】
本考案は、ペット用籠を提供し、籠内部の背景図案により、ペットに異なる視野効果を感じさせることを更なる目的とする。
【課題を解決するための手段】
【０００７】
ペット用籠の本体は、本体上方に設置され、内部空気を対外と流通させる通気孔と、とってを有し、本体の正面に設置され、本体内部が見えるガラス扉と、本体の背面挟層に設置され、交換可能な景色片と、本体底部に設置し、とってにより、引き出して排泄物を処理できる汚物槽と、本体内部、且つ、汚物槽の上方に設置され、ペットが汚物槽内に落ちないようにする網と、からなる。
【考案の効果】
【０００８】
本考案のペット用籠は、木製、或いは、金属材質の本体を利用し、本体を客間の壁や棚に密合嵌入させ、美観を達成する。
【考案を実施するための最良の形態】
【０００９】
図２〜図４で示されるように、棚本体１４正面は、ガラス扉１６を設置し、ガラス扉１６上にとって１８を有する。扉１６により、外部から本体１４内部のウサギ、鳥類、カメレオン、トカゲ或いは、昆虫などのペットの様子がはっきりと分かる。照明設備２０は、本体１４の上方に設置され、紫外線、太陽光、植物培養灯など、必要に応じて、美観を増加するため、或いは、ペットの健康のために設置する。照明設備２０が起動する時、本体１４内部がはっきりと見える上、微小の紫外線により、ペットが暖を取り、殺菌の効果もある。本体１４の上方に更に通気孔２２を有し、これにより、外界の空気を対流を生じて、充分な酸素を内部に送る。また、景色片１４１を有し、本体１４の背面挟層に位置し、本体１４背面に係槽１５を有するので、上方から交換もできる。本体１４上に更に、伸縮棒１４２を設置し、それぞれ、本体１４とガラス扉１上に固定され、扉１６の開く速度を緩衝する。
【００１０】
飼料装置２４は、本体１４内部に設置され、飼料装置２４はいかなる形状の容器でもよく、内部は資料や水を放置し、可動装置であるので、本体１４から取り出して洗浄できる。景色片１４１は本体１４の内側に設置され、照明装置２０は本体１４全体を生き生きとさせる。汚物槽２８は、本体１４の底部に設置され、主に、ペットの排泄物を承接し、とって３０により取り出して洗浄できる。本体１４内部と槽２８の上方に網３２を有し、ペットが落ちるのを防止する。網３２は本体１４から取り出せる。本体１４の材質は木製か高密度金属、ステンレスからなり、ガラス扉１６は、上から下に、或いは、下から上に、或いは、左右に開くように設計される。本体１４の両側に暖簾槽１４３を設置し、暖簾槽１４３上に暖簾１４４を有する。ガラス扉１６を開ける前に、暖簾１４４を下に引き、暖簾槽１４３内に固定し、これにより、動物が脱走するのを帽子し、汚物槽２８の清掃動作も楽である。
【００１１】
図５で示されるように、本体１４両側は、細柵欄３４に改装して空気の流通性をよくしてもよい。
【００１２】
図６で示されるように、本体１４は一面が丸みを帯びていてもよく、直方体に制限しない。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】公知技術を示す図である。
【図２】本考案のペット籠の立体図である。
【図３】本考案のペット籠の側面断面図である。
【図４】本考案のペット籠の底面図である。
【図５】本考案のペット籠のもう一つの実施例を示す図である。
【図６】本考案のペット籠のもう一つの実施例を示す図である。
【符号の説明】
【００１５】
１０     ペット籠本体
１２     飼育空間
１４     本体
１４１   景色片
１４２   伸縮棒
１４３   暖簾槽
１４４   暖簾
１５     係槽
１６     ガラス扉
１８     とって
２０     照明設備
２２     通気孔
２４     飼料装置
２８     汚物槽
３０     とって
３２     網  
３４     細柵欄
【図１】
0003124030.tif 000003
【図２】
0003124030.tif 000004
【図３】
0003124030.tif 000005
【図４】
0003124030.tif 000006
【図５】
0003124030.tif 000007
【図６】
0003124030.tif 000008
(57)【要約】【課題】サイズが大きくなく簡単に普通の椅子の座席や背もたれに使用できる弾性装置を提供する。【解決手段】椅子の座席や背もたれとほぼ同じサイズの中空枠１を設け、この中空枠１の中空部の底部に板部２を一体に形成し、更に中空枠１と板部２の間に直線でなく数回に折り畳んだ形の複数の弾性連接帯３をある高さに一体に形成する。この弾性装置は直接椅子を成形する時に一緒に一体に成形してもよく、又椅子とは別に成形してから椅子に取り付けてもよい。これによりこの弾性装置は相当の緩衝弾性を持ち、その上に座ったとき柔らかい感じを受けて、心地よく椅子に座れる。【選択図】図１
0003124063.tif 000002
【実用新案登録請求の範囲】
【請求項１】
中空枠と、
板部と、
前記中空枠と末端とが連結され、前記板部と別末端とが連結される複数の弾性連接帯と、
を備える椅子の弾性装置。
【請求項２】
前記中空枠と前記板部と前記弾性連接帯とは一体に成形されることを特徴とする請求項１に記載の椅子の弾性装置。
【請求項３】
前記弾性装置は椅子を成形する時に椅子と一体に成形されることを特徴とする請求項１に記載の椅子の弾性装置。
【請求項４】
前記中空枠と前記板部と前記弾性連接帯とは一体に成形されたあと、椅子に取り付けられることを特徴とする請求項１に記載の椅子の弾性装置。
【請求項５】
前記弾性連接帯は直線でなく数回に折り畳んだ状態に湾曲し、且つその断面は直立のほぼ長方形であることを特徴とする請求項１に記載の椅子の弾性装置。
【考案の詳細な説明】
【技術分野】
【０００１】
本発明は、椅子の座席や背もたれに使用できる弾性装置に関する。
【背景技術】
【０００２】
一般の椅子はその弾性装置として主に垂直状のスプリング筒を使用して座席或いは背もたれに使用されている。然しこの垂直のスプリング筒はそのサイズが比較的大きく場所を取り座席や背もたれの厚みや重量が大きくなり普通の椅子や事務所用の椅子や浜辺の休み椅子等には適用できないので、弾性装置を持つ椅子は少なく、それで弾性を持たせる為に一枚の気泡ゴム板か海綿状ゴム板を使用しているものがよくある。
【考案の開示】
【考案が解決しようとする課題】
【０００３】
本考案はサイズが大きくなく簡単に普通の椅子の座席や背もたれに使用できる弾性装置を提供することをその課題とする。
【課題を解決するための手段】
【０００４】
本考案は上述の課題を解決する手段として、椅子の座席や背もたれとほぼ同じサイズの中空枠を設け、この中空枠の中空部の底部に板部を一体に形成し、更に中空枠と板部の間に直線でなく数回に折り畳んだ形の複数の弾性連接帯をある高さに一体に形成する。この弾性装置は直接椅子を成形する時に一緒に一体に成形してもよく、又椅子とは別に成形してから椅子に取り付けてもよい。これによりこの弾性装置は相当の緩衝弾性を持ち、その上に座ったとき柔らかい感じを受けて、心地よく椅子に座れる。
【考案を実施するための最良の形態】
【０００５】
本考案の一実施例による椅子の弾性装置は、図１が示す様に中空枠１と板部２と複数の弾性連接帯３とで構成される。
その中の中空枠１と板部２と弾性連接帯３とは皆一緒に椅子と同時に一体に成形されるか、又は中空枠１と板部２と弾性連接帯３とは椅子と別に一体成形されてから、椅子に取り付けられる。いずれの方法でも弾性装置はその効能と効果は同じで、いかなる椅子でもいかなる材質を使用したものでも、本考案の権利保護範囲に入る。
【０００６】
本考案の一実施例による弾性装置は、中空枠１と、中空枠１が包囲する中空面積よりやや小さい面積を持つ板部２と、中空枠１と板部２との間に連接される複数の弾性連接帯３とで構成され、弾性連接帯３は直線状でなく何回も折り畳んだ状態に湾曲し、その断面は直立のほぼ長方形にして、その末端が中空枠１と連接し別端が板部２と連接している。この複数の弾性連接帯３の設置により弾性装置は座席に使用されたら座る人に心地よい感じを与える優れた緩衝弾性を保有する。
【０００７】
更に実用する時は、中空枠１の中空部の上に固定の網状布か、板部２及び弾性連接帯３の上に柔軟な座布団を被せるか、又は板部２の上に座布団を被せるか、又は直接板部２の上に使用者が坐ってもよい。
（１）椅子に直接に本考案の一実施例による弾性装置（中空枠１、板部２、及び弾性連接帯３を全部）を一体に成形すれば、その製作が簡単でコストが安くなり生産が快速である。
（２）一体に成形した弾性装置（中空枠１、板部２、及び弾性連接帯３）は椅子に取り付けることができ、応用性が広く、経済的な利得がある。
（３）椅子の座席や背もたれに本考案の一実施例による弾性装置を応用すれば、その接触感が柔らかく、その緩衝弾性が優れている。
（４）産業上の応用性が広い。
【図面の簡単な説明】
【０００８】
【図１】本考案の一実施例による椅子の弾性装置の斜視図である。
【図２】本考案の一実施例による椅子の弾性装置の上面図である。
【図３】本考案の一実施例による椅子の弾性装置の側面図である。
【図４】図２の４−４線の断面図である。
【符号の説明】
【０００９】
１  中空枠、２  板部、３  弾性連接部
【図１】
0003124063.tif 000003
【図２】
0003124063.tif 000004
【図３】
0003124063.tif 000005
【図４】
0003124063.tif 000006
(57)【要約】【課題】ベルトの長手方向軸線が傾斜した状態で配置された場合でも自動的に該軸線を合致させるようにして計測を正確に行うようにした摩擦係数測定装置を提供することを目的とする。【解決手段】ベルト４をプーリ５に巻き掛けて、一端にロードセル２を、他端に錘７を接続した後、上記プーリ５をベルト４に張力を付与する方向に回転させながらロードセル２の出力値から摩擦係数を測定する摩擦係数測定装置１であり、上記ロードセル２が固定台３上を上記プーリの駆動軸６方向へ平行して移動できるスライド機構８を有している。【選択図】      図２
0003124055.tif 000002
【実用新案登録請求の範囲】
【請求項１】
ベルトをプーリに巻き掛けて、一端にロードセルを、他端に錘を接続した後、該プーリをベルトに張力を付与する方向に回転させながらロードセルの出力値から摩擦係数を測定する摩擦係数測定装置において、上記ロードセルが固定台上を上記プーリの軸方向へ平行して移動できるスライド機構を有していることを特徴とする摩擦係数測定装置。
【考案の詳細な説明】
【技術分野】
【０００１】
本考案は摩擦係数測定装置に係り、詳しくはベルトの正確な摩擦係数を測定できる摩擦係数測定装置に関する。
【背景技術】
【０００２】
従来の摩擦係数測定法は、非特許文献１に開示されているように、プーリに巻き付け角９０度でベルトを巻き付け、そのベルトの一端に錘、もう一方の端部にロードセルを接続し、プーリを回転させたときのロードセルの出力軸（荷重軸）からオイラーの式を用いて摩擦係数を算出している。
【非特許文献１】ベルト伝動技術懇話会，ベルト伝動の実用設計，株式会社養賢堂，１９９６年４月２０日発行
【考案の開示】
【考案が解決しようとする課題】
【０００３】
しかし、従来の摩擦係数測定装置では、測定時にはベルトの長手方向軸線、ロードセルの中心軸線および回転軸と交差するプーリの中心線を手動によって全て一致させるように調節した後に、計測を開始していた。ベルトの長手方向軸線が傾斜した状態で配置され、この状態で計測を開始すると、錘の荷重が正確にベルトに伝達されないために、正確な摩擦係数を計測することが困難であった。
【０００４】
本考案はこのような問題を改善するものであり、たとえベルトの長手方向軸線が傾斜した状態で配置された場合でも自動的に該軸線を合致させるようにして計測を正確に行うようにした摩擦係数測定装置を提供することを目的とする。
【課題を解決するための手段】
【０００５】
即ち、本願の請求項１記載の考案では、ベルトをプーリに巻き掛けて、一端にロードセルを、他端に錘を接続した後、該プーリをベルトに張力を付与する方向に回転させながらロードセルの出力値から摩擦係数を測定する摩擦係数測定装置において、上記ロードセルが固定台上を上記プーリの軸方向へ平行して移動できるスライド機構を有している摩擦係数測定装置にある。
【考案の効果】
【０００６】
本考案の摩擦係数測定装置では、ロードセルが設置台上を上記プーリの軸方向へ平行して移動できるスライド機構を有しているために、ベルトの長手方向軸線が傾斜した状態で配置された場合でも自動的に該軸線を合致させることができ、正確な摩擦係数の計測が可能になる。
【考案を実施するための最良の形態】
【０００７】
図１は本考案に係る摩擦係数測定装置の正面図であり、図２は図１の平面図であって計測前の状態を示す図、図３は図１の平面図であって計測後の状態を示す図である。
【０００８】
本考案に係る摩擦係数測定装置１では、ロードセル２が固定台３に移動可能に設置され、ベルト４の一端がロードセル２に接続され、他端が駆動軸６に固定されたプーリ５に約９０度で巻き付けられて錘７に固定されている。しかして、本装置では、ロードセル２は固定台３の幅方向、即ちプーリ５の駆動軸６方向と平行に移動できるようにスライド機構８を底面に装着している。スライド機構８は特に限定されるものではなく、例えばガイドレール上を嵌合してスライドする軸受からなっている。
【０００９】
図２に示すように、ベルト４の一端をロードセル２に、他端を駆動軸６に固定されたプーリ５に約９０度で巻き付けられて錘７に接続すると、ベルトの長手方向軸線１０が傾斜した状態で配置された場合には、荷重Ｆにおけるベルトの長手方向軸線１０方向の力Ｆ２はプーリ５の駆動軸６方向の分力Ｆ１を発生させるために、ロードセル２はスライド機構８によってスライド移動し、図３に示すようにベルトの長手方向軸線１０がロードセルの中心軸線１１およびプーリの中心線１２に一致する。これによって、プーリ５をベルトに張力を付与する方向に回転させながらロードセルの出力値から摩擦係数を測定する。
【図面の簡単な説明】
【００１０】
【図１】本考案に係る摩擦係数測定装置の正面図である。
【図２】図１の平面図であって計測前の状態を示す図である。
【図３】図１の平面図であって計測後の状態を示す図である。
【符号の説明】
【００１１】
１  摩擦係数測定装置
２  ロードセル
３  固定台
４  ベルト
５  プーリ
６  駆動軸
８  スライド機構
【図１】
0003124055.tif 000003
【図２】
0003124055.tif 000004
【図３】
0003124055.tif 000005
(57)【要約】      （修正有）【課題】一定の温度に耐熱性のある鉛筆やペンなどの筆記用具、箸、印鑑等の棒状の形態を有する素材に装飾のついた筒状ＰＵ（ポリウレタン）素材の本品を差込み、ドライヤーなどの温風にて一定の温度以上で温めるとそれが収縮、密着することから、表面を自在に好みの装飾にすることができるなどその目的も多様となり、また装着する前に平面状態にて直接本体に文字や模様を容易に書き込めることにより、棒状形態に直接書くという難易な状況を解消することができる。【解決手段】筒状ＰＵ（ポリウレタン）素材の本品本体１に、鉛筆やペンなどの筆記用具、箸、印鑑等の棒状の形態を有する素材２を差込み、温風器具としてのドライヤーなどの３で温風を当てることにより１が収縮、さらに密着することから、１が２に密着し、元の装飾から表面上１の装飾になる。【選択図】図１
0003118114.tif 000002
【実用新案登録請求の範囲】
【請求項１】
一定の温度に耐熱性のある鉛筆やペンなどの筆記用具、箸、印鑑等の棒状の形態を有する素材を、装飾のついた筒状に形成されたＰＵ（ポリウレタン）からなる収縮素材の本品に差込み、ドライヤーなどの温風にて一定以上の温度で温めるとそれが収縮、密着することから、鉛筆やペンといった筆記用具、箸、印鑑等の表面を自在に好みの装飾にすることができる棒装飾用筒状シート
【請求項２】
請求項１に記載の棒装飾用筒状シートにおいて、２枚の帯状収縮素材の巾方向両端を接合した棒装飾用筒状シート
【請求項３】
請求項１に記載の棒装飾用筒状シートにおいて、その筆記用具、箸、印鑑等の棒状の形態を有する素材の太さに対し約１０％から６０％の収縮対応性をもつことにより、様々な棒状形態に容易に対応でき、表面上の装飾変化をもたらす棒装飾用筒状シート
【考案の詳細な説明】
【技術分野】
【０００１】  本考案は、筆記用具、箸、印鑑等の棒状の形態を有する素材に筒状のシートを密着させることにより、自在に好みの装飾にすることができるものである。
【背景技術】
【０００２】  従来の筆記用具、箸、印鑑等の棒状の形態を有する素材等は、既存の装飾しか選べず、既に持っている用具の変化を楽しむことができなかったことや、また棒状形態に直接文字や模様を書き込むことが難易であった。
【考案の開示】
【考案が解決しようとする課題】
【０００３】  従来の筆記用具、箸、印鑑等の棒状の形態を有する素材は、既存の装飾しか選べず、既に持っている用具の変化を楽しむことができなかったが、本品を使用することで、自在に好みの装飾を用具等に密着させることにより、使用目的による色分けや所有者を表示する印ができるなどその目的も多様となり、また本品装着前に平面状態にて直接文字や模様を容易に書き込めることから、棒状形態に直接書くという難易な状況を解消するものである。
【課題を解決するための手段】
【０００４】  本考案は、鉛筆やペンなどの筆記用具、箸、印鑑等の棒状の形態を有する素材を装飾のついた筒状ＰＵ（ポリウレタン）素材の本品に差込み、ドライヤーなどの温風にて一定の温度以上で温めるとそれが収縮、密着することから、鉛筆やペンといった筆記用具、箸、印鑑等の棒状の形態を有する素材の表面を自在に好みの装飾を用具等に密着させることにより、使用目的による色分けや所有者を表示する印ができるなどその目的も多様となり、また本品装着前に平面状態にて直接文字や模様を容易に書き込めることから、棒状形態に直接書くという難易な状況を解消するものである。
【考案の効果】
【０００５】  上述の様に、本考案の棒装飾用筒状シートは、鉛筆やペンなどの筆記用具、箸、印鑑等の棒状の形態を有する素材に本品筒状シートを密着させることは勿論、筆記用具、箸、印鑑等の棒状の形態を有する素材本体の使用目的を妨げるものではなく、表面を自在に好みの装飾にすることができ、使用目的による色分けや所有者を表示する印ができるなどその目的も多様となりうることから多目的に使用できる。
【考案を実施するための最良の形態】
【０００６】  一定の温度に耐熱性のある鉛筆やペンなどの筆記用具、箸、印鑑等の棒状の形態を有する素材を装飾のついた筒状ＰＵ（ポリウレタン）素材の本品に差込み、ドライヤーなどの温風にて一定の温度以上で温めると棒装飾用筒状シートが収縮、密着し、鉛筆やペンといった筆記用具、箸、印鑑等の棒状の形態を有する素材の表面を自在に好みの装飾にすることができ、また棒状形態に直接書くという難易な状況ではなく、本品装着前に平面状態にて直接文字や模様を容易に書き込めることができる。
【実施例】
【０００７】  以下、添付図面に従って一実施例を説明する。１は筒状ＰＵ（ポリウレタン）素材の本品本体、２は一定の温度に耐熱性のある鉛筆やペンなどの筆記用具、箸、印鑑等の棒状の形態を有する素材、３は温風器具としてのドライヤーなどであり、まず、２を１に差込み、３の温風を当てることにより１が収縮、さらに密着することから、１が２に密着し、元の装飾から表面上１の装飾になる。
【産業上の利用可能性】
【０００８】    従来の筆記用具、箸、印鑑等の棒状の形態を有する素材は、既存の装飾しか選べず、既に持っている用具の変化を楽しむことができなかったが、本品を使用することで、自在に好みの装飾を用具等に密着させることにより、使用目的による色分けや所有者を表示する印ができるなどその目的も多様となり、また装着する前に平面状態にて直接本体に文字や模様を容易に書き込めることにより、棒状形態に直接書くという難易な状況を解消するものである。
【図面の簡単な説明】
【０００９】
【図１】鉛筆やペンなどの筆記用具、箸、印鑑等の棒状の形態を有する素材を装飾のついた筒状ＰＵ（ポリウレタン）素材の本品に差込むことを示す正面図である。
【図２】ドライヤーなどの温風にて一定の温度以上で温めるとそれが収縮、密着する段階図である。
【符号の説明】
【００１０】１  棒装飾用筒状シート
２  鉛筆やペンなど筆記用具、箸、印鑑等の棒状の形態を有する素材
３  ドライヤー等温風器具
【図１】
0003118114.tif 000003
【図２】
0003118114.tif 000004
(57)【要約】      （修正有）【課題】インテリア用金属製スダレに、装飾品を容易に取り付けるための取り付け具の提供。【解決手段】装飾品に、取り付け具１，２を加工し、取り付け具が、スダレの隙間に挟まるように取り付ける。取り付け具１，２の幅を調整することにより、装飾品がしっかりと固定される。【選択図】図１
0003118111.tif 000002
【実用新案登録請求の範囲】
【請求項１】
取り付ける装飾品の両サイドに加工され、取り付け対象となる金属性ノレンに、装飾品を取り付けるための取り付け具。
【考案の詳細な説明】
【技術分野】
【０００１】  本考案は、金属性スダレに装飾品（シンボルマーク等）を取り付けるための、取り付け具に関する。
【背景技術】
【０００２】  商業施設等でインテリアやエクステリア、オブジェとして使用される金属性のスダレ（本考案では小岩金属株式会社のすだれシリーズ・あすか《飛鳥》を使用）に、装飾品を取り付けようとする際、従来では接着剤を利用するなどしていた。
【考案の開示】
【考案が解決しようとする課題】
【０００３】  しかし、これでは、スダレのような隙間の空いている対象物に対しては、接着が困難である。また一度付けてしまうと取り外しが出来ない。
【課題を買解決するための手段】
【０００４】  そこで、スダレの隙間を逆に利用し、取り付ける装飾品の左右両サイドに、スダレの隙間に丁度挟まり、尚且つ抜けない様にするための突起物を付ける事を考案した。この取り付け具により、シンボルは固定され、さらに脱着が可能になるのである。
【考案の効果】
【０００５】  よって、本考案のシンボル取り付け具により、取り付けが困難ではなくなる。また、接着剤を使用しないので、接着面が汚れる事もなく、複数個を取り付ける場合にも便利で綺麗に取り付けできる。さらに、脱着が可能なので、シンボルの位置換え等にも便利である。
【考案を実施するための最良の形態】
【０００６】  本考案に係る装飾品取付け具とは、図１で示している装飾品（シンボルマーク）の両サイドに付いている、突起物▲１▼・▲２▼のことである。この、幅の異なる２つの突起物▲１▼・▲２▼を、図２で示しているスダレの隙間に取り付けるために、折白部分▲３▼で９０°に折り曲げる。【０００７】  次に図３で示すように、折り曲げられた幅の広い方の突起物▲４▼を、スダレの網目に対し平行に差し込む。そして、差し込んだ状態で、図４で示すように装飾品を回転させ、折り曲げられた幅の狭い方の突起物▲５▼を、スダレにパチン、と押し込む。以上の順序で装飾品が取り付けられる。【０００８】    シンボルマークの形状・スダレの種類は、本考案では、図面で示した型を使用しているが、突起物の幅や位置等は、シンボルマークの形状・スダレの種類に対応して決めればよいので、様々な形状・種類への対応が可能である。その際、スダレ幅に対して左右の突起物の幅は、左の突起物が、スダレの線材間隔プラス０．４ミリ、右の突起物が、スダレの線材間隔プラス０．１ミリ（左右は入れ替わっても同じ）とすることが望ましく、そうする事で取り付けが一番容易にできる。
【図面の簡単な説明】
【０００９】
【図１】  本考案に係る装飾品取り付け具を、シンボルマークに使用した状態の正面図である。
【図２】  取り付け対象となる金属製スダレの正面図である。
【図３】  装飾品取付け具を、スダレに取り付ける方法を説明した、正面図である。
【図４】  装飾品取付け具が、スダレに取り付けられた状態の正面図である。
【符号の説明】
【００１０】▲１▼    装飾品取り付け具（幅の広い方）
▲２▼    装飾品取り付け具（幅の狭い方）
▲３▼    取り付け具の折白部分
▲４▼    折り曲げられた装飾品取り付け具（幅の広い方）
▲５▼    折り曲げられた装飾品取り付け具（幅の狭い方）
【図１】
0003118111.tif 000003
【図２】
0003118111.tif 000004
【図３】
0003118111.tif 000005
【図４】
0003118111.tif 000006
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
取り付ける装飾品の左右両サイドに加工され、左右各々が、取り付け対象となる金属製スダレの線材間隔に合わせて、装着が容易にできるよう計算された幅を持った、突起状の形状を有する装飾品取り付け具。
(57)【要約】      （修正有）【課題】ＴＶとＣＤ、ＤＶＤ、ＴＶゲームを一体化することにより安易な娯楽と生活の便利を目的とする。【解決手段】ＴＶとＣＤ、ＤＶＤ、ＴＶゲームを一体化して１台であらゆる娯楽を楽しめ、場所と費用の手助けとなる。【選択図】図１
0003118119.tif 000002
【実用新案登録請求の範囲】
【請求項１】
ＣＤとＤＶＤとＴＶゲームを一般に市販されている液晶ＴＶと一体にした事を特徴とするＣＤ、ＤＶＤ、ＴＶゲーム一体型液晶ＴＶ。
【考案の詳細な説明】
【技術分野】
【０００１】本考案は一般の液晶ＴＶにＣＤ、ＤＶＤ、（ＣＤ、ＤＶＤ共にプレーヤーとレコーダーを含む）ＴＶゲーム（（公序良俗違反につき、不掲載）のファミコン、ＴＶゲーム、パソコンのＴＶゲームを含む）を一体化した液晶ＴＶ（大きさは５．８インチ位から無限大）に関するものである。
【背景技術】
【０００２】  従来は、ＣＤ器、ＤＶＤ器、ＴＶゲーム器、ＴＶを別々に購入していた。
【考案の開示】
【考案が解決しようとする課題】
【０００３】  ＣＤ器、ＤＶＤ器ＴＶゲーム器、ＴＶを別々に購入するのは能率が悪く、場所をとり易い。しかも費用がかかり易い。一体型にすると場所も少なく、費用もかかりにくくまとまる。場所と費用を解決しようとするものである。
【課題を解決するための手段】
【０００４】  本考案はＴＶをＣＤ器、ＤＶＤ器、ＴＶゲーム器と一体型にすることにより、能率が良く、場所をとりにくく費用がかかりにくく案心して娯楽できる。このことにより問題点を解決している。
【考案の効果】
【０００５】  上述の様に本考案のＣＤ、ＤＶＤ、ＴＶゲーム一体型液晶ＴＶは１台で音楽を聞き、映画を観、ＴＶゲームをして遊ぶことができる。また、場所をとらないので生活に便利であり購入も容易に行なえる。ＴＶも観る事ができる。
（考案の実施するための最良形態）【０００６】  ＴＶとＣＤ、ＤＶＤ、ＴＶゲーム（（公序良俗違反につき、不掲載）のファミコン、ＴＶゲーム、パソコンのＴＶゲームを含む）を一体化することによりＴＶをあらゆる方面で楽しむことが簡易で出来る。
【実施例】
【０００７】【実施例】  【０００７】  以下、添付図面に従って一実施例を説明する。１、ＣＤ、ＤＶＤ、ＴＶゲーム（（公序良俗違反につき、不掲載）のファミコン、ＴＶゲーム、パソコンのＴＶゲームを含む）とＴＶの機械を内臓する。２、液晶ＴＶの画面を取り付ける。
【図面の簡単な説明】
【０００８】
【図１】本考案のＣＤ、ＤＶＤ、ＴＶゲーム一体型液晶ＴＶの平面図である
【図２】本考案のＣＤ、ＤＶＤ、ＴＶゲーム一体型液晶ＴＶの横面図である。
【符号の説明】
【０００９】【符号の説明】  【０００９】１、ＣＤ、ＤＶＤ、ＴＶゲームとＴＶの機械２、液晶ＴＶの画面３、ディスク入れ４、土台５、（公序良俗違反につき、不掲載）ファミコンカセット入れ６、ＴＶゲームコントローラ
【図１】
0003118119.tif 000003
【図２】
0003118119.tif 000004
(57)【要約】      （修正有）【課題】ＴＶとＣＤ、ＤＶＤ、ＴＶゲーム、ＢＳチューナー、パソコンＴＶ電話を一体化することにより安易な娯楽と生活の便利を目的とする。【解決手段】ＴＶとＣＤ、ＤＶＤ、ＴＶゲーム、ＢＳチューナー、パソコンＴＶ電話を一体化して１台であらゆる利便性を楽しめ場所と費用の手助けとなる。【選択図】図１
0003118120.tif 000002
【実用新案登録請求の範囲】
【請求項１】
ＣＤとＤＶＤとＴＶゲームとＢＳチューナーとパソコンとＴＶ電話を一般に市販されている液晶ＴＶと一体にした事を特徴とするＣＤ、ＤＶＤ、ＴＶゲームＢＳチューナー、パソコン、ＴＶ電話一体型液晶ＴＶ。
【考案の詳細な説明】
【技術分野】
【０００１】  本考案は一般の液晶ＴＶにＣＤ、ＤＶＤ、（ＣＤ、ＤＶＤ共にプレーヤーとレコーダーを含む）ＴＶゲーム（任天堂のファミコン、ＴＶゲーム、パソコンのＴＶゲームを含む）とＢＳチューナー、パソコン、ＴＶ電話を一体化した液晶ＴＶ（大きさは１４インチ位以上）に関するものである。
【背景技術】
【０００２】  従来は、ＣＤ器、ＤＶＤ器、ＴＶゲーム、ＢＳチューナー、パソコン、ＴＶ電話ＴＶを別々に購入していた。
【考案の開示】
【考案が解決しようとする課題】
【０００３】  ＣＤ器、ＤＶＤ器、ＴＶゲーム器、ＢＳチューナー、パソコン、ＴＶ電話、ＴＶを別々に購入するのは能率が悪く場所をとり易い。しかも費用がかかり易い。一体型にすると場所も少なく、費用もかかりにくくまとまる。場所と費用を解決しようとするものである。
【課題を解決するための手段】
【０００４】  本考案はＴＶをＣＤ器、ＤＶＤ器、ＴＶゲーム器、ＢＳチューナー、パソコン、ＴＶ電話と一体型にすることにより能率が良く、場所をとりにくく費用がかかりにくく安心して楽しむことができる。このことにより問題点を解決している。
【考案の効果】
【０００５】  上述の様に本考案のＣＤ、ＤＶＤ、ＴＶゲーム、ＢＳチューナー、パソコン、ＴＶ電話一体型液晶ＴＶは１台で音楽を聞き、映画を観、ＴＶゲームができ、ＢＳも観れ、パソコンができ、電話ができて、ＴＶも観れる。
また場所もとらないので生活に便利であり購入も容易に行なえる。
（考案の実施するための最良型態）【０００６】  ＴＶとＣＤ、ＤＶＤ、ＴＶゲーム、ＢＳチューナー、パソコン、ＴＶ電話を一体化することによりＴＶをあらゆる方面で利用することが簡易で出来る。
【実施例】
【０００７】  以下、添付図面に従って一実施例を説明する。
１、ＣＤ、ＤＶＤ、ＴＶゲーム、ＢＳチューナー、パソコン、ＴＶ電話と液晶ＴＶの機械を内臓する。
２、液晶ＴＶの画面を取付ける。
３、パソコンのキーボードを取付ける。
【図面の簡単な説明】
【０００８】
【図１】本考案のＣＤ、ＤＶＤ、ＴＶゲーム、ＢＳチューナー、パソコン、ＴＶ電話一体型液晶ＴＶの平面図である。
【図２】本考案のＣＤ、ＤＶＤ、ＴＶゲーム、ＢＳチューナー、パソコン、ＴＶ電話一体型液晶ＴＶのパソコンのキーボードを取り出した平面図である
【図３】本考案のＣＤ、ＤＶＤ、ＴＶゲーム、ＢＳチューナー、パソコン、ＴＶ電話一体型液晶ＴＶの横面図である。
【符号の説明】
【０００９】１、ＣＤ、ＤＶＤ、ＴＶゲーム、ＢＳチューナー、パソコン、ＴＶ電話、ＴＶの機械
２、液晶ＴＶの画面
３、ディスク入れ
４、土台
５、任天堂ファミコンカセット入れ
６、ＴＶゲームコントローラ
７、パソコンキーボード
８、ＴＶ電話のＴＶカメラアイ
【図１】
0003118120.tif 000003
【図２】
0003118120.tif 000004
【図３】
0003118120.tif 000005
(57)【要約】      （修正有）【課題】傾斜した文字盤にボールを投げ、或いは転がして範囲内の数字を計算して点数を競う遊具を提供する。【解決手段】文字盤１には面ファスナー２で範囲が示されそれぞれの数字４を書き込む。文字盤には任意の傾斜を付けて難易度の調節をする。ボールには板に対応した面ファスナーを貼り付けてある。車椅子に座ったままテーブルの上でボールを投げ、或いは転がし、ボールが止まった所の点数を計算する。ボールは付着しているので点数を忘れる事はなく、点数を付ける事でより意欲を湧かせ、脳への刺激と共に運動能力の増加を図る。【選択図】図１
0003118112.tif 000002
【実用新案登録請求の範囲】
【請求項１】
数字板上に面ファスナーを貼り付けて範囲を示し、数字を書き込んで点数を競う事を売る遊具。ボールには対となる面ファスナーを取り付けてある。
【請求項２】
数字版板上の数字を絵や模様にするとビンゴゲームになる。
【請求項３】
数字版の範囲の決定は孔や面ファスナー以外の枠でも変更可能。
【考案の詳細な説明】
【技術分野】
【０００１】    本考案は文字盤の上に転がしたボールを止めて、範囲内の点数を集積して競う遊具に関するものである。
【背景技術】
【０００２】    体の不自由な人たちは会話も不自由で運動はリハビリのみに頼りがちである。様々な遊具はあるが既存の物は全て健常者用であり、力や頭脳或いは機敏性が必要とされるので特に車椅子の必要な人たちは参加出来ない。そんな人たちが興味を持ち参加出来るゲームは求められている。
【考案の開示】
【考案が解決しようとする課題】
【０００３】    傾斜した文字盤にボールを投げ、或いは転がして範囲内の数字を計算して点数を競う遊具を提供する事を目的とする。
【考案を解決する為の手段】
【０００４】    文字盤には面ファスナーで範囲が示されそれぞれの数字を書き込む。文字盤には任意の傾斜を付けて難易度の調節をする。ボールには板に対応した面ファスナーを貼り付けてある。
車椅子に座ったままテーブルの上でボールを投げ、或いは転がし、ボールが止まった所の点数を計算する。ボールは付着しているので点数を忘れる事はない。
点数を付ける事でより意欲を湧かせ、脳への刺激と共に運動能力の増加を図る。。
又、面ファスナーによる段差などが動きを複雑にして目が離せず、熱中度を高める役目も帯びている。
【考案の効果】
【０００５】    老人、障害者など一様に筋肉を刺激し、計算する事で脳の衰えを防ぎ、又、幼児には脳の発達を促進するには、力や反射神経の必要な一般の運動やゲームは相応しくない。
ともすれば人との交友に倦みがちな人たちに、人数に関係なく皆が一堂に集まって、共通の目的を持って競う事は、新たな交流を生み精神の解放に効果的である。ゲームに参加し、軽度の運動で投げ、或いは転がして不規則なボールの動きに胸を躍らせ、且つ得点を計算して興味を掻き立てる。投げたボールがそのまま止まる事で自ら点数の計算を容易にし、成果を確認できる。
ゲームを通じて交友の機会も増え、心気を更新させ、陥りがちな鬱状態の軽減を図る。。
【考案を実施するための最良の形態】
【０００６】  卓上で、非力でも、又、車椅子に座ったままでも投げ、或いは転がして可能。その前の得点を忘れない様にそのままボールが止まるこの競技は、無理なく楽しめるので手頃である。結果がそのまま目に見えて残るので次の力加減の調整が出来るし、忘れる事もない。
文字盤は傾斜を変える事で難易が調整出来、ハンディも着けられる。
道具も低価格で製造でき、普及のための資力も少なくて済む。
文字盤の大きさは持ち運びが出来ればよい。
又必要に応じて枠を作れば外れたり勢いの余ったボールの転落を防げる。
場合によって絵やマーク等競技者の興味を高める物にも変更可能である。
【実施例】
【０００７】    一台作って老人ホームで実施している。ボールは一人十個と決めて配り、板には１−９の数字を入れて面ファスナーで範囲を示し、点数を書き込んである。十球投げ終わると次に替わる。
ボールと数字範囲には対の面ファスナーが貼ってあるため段差ができ、動きは不規則性がある。それに神経を集中して一喜一憂しながら見守る事になる。体を動かす快感と点数を競う緊張感と結果の意外性が愉しいと好評である。
同所にある幼稚園児も加わり声援もあって笑い、そして盛り上がっている。
【図面の簡単な説明】
【００１０】
【図１】    文字盤。任意の角度で傾斜させ面ファスナーを取り付けてある。
【図２】    傾斜を付けた文字盤のＡ−Ａ断面図。
【図３】    ボール。対応した面ファスナーを取り付けてある。
【符号の説明】
１）文字盤。
２）面ファスナー。板とボールで対になり、固定されている。
３）ボール。対になった面ファスナーが貼り付けられている。
４）数字。得点の基礎となる。
５）足。台や手頃なもので代用出来る。
６）ボールの転がる方向を示す。
７）投げられたボールが止まった所の仮想図。
【図１】
0003118112.tif 000003
【図２】
0003118112.tif 000004
【図３】
0003118112.tif 000005
【手続補正書】
【提出日】平成17年10月11日(2005.10.11)
【手続補正１】
【補正対象書類名】実用新案登録請求の範囲
【補正対象項目名】請求項１
【補正方法】変更
【補正の内容】
【請求項１】
数字と対応させた面ファスナーを一定範囲で貼り付けて形成した文字盤と、面ファスナーを取り付けたボールとから成り、該ボールを文字盤に投げて止まった所の点数又は位置で勝敗を競うことを特徴とするボール当てゲーム遊具。
【手続補正２】
【補正対象書類名】明細書
【補正対象項目名】００１０
【補正方法】変更
【補正の内容】
【００１０】
【図１】    任意の角度で傾斜させ面ファスナーを取り付けてある文字盤の平面図。
【図２】    傾斜を付けた文字盤のＡ−Ａ断面図。
【図３】    対応した面ファスナーを取り付けてあるボールの正面図。
【符号の説明】
１  文字盤
２  面ファスナー
３  ボール
４  数字
５  足
６  ボールの転がる方向を示す矢印
【手続補正３】
【補正対象書類名】図面
【補正対象項目名】図１
【補正方法】変更
【補正の内容】
【図１】
0003118112.tif 000006
【手続補正４】
【補正対象書類名】図面
【補正対象項目名】図３
【補正方法】変更
【補正の内容】
【図３】
0003118112.tif 000007
(57)【要約】      （修正有）【課題】頻繁に給水しなくても園芸植物が枯れてしまわない。【解決手段】自動給水鉢１の本体を内外二重構造にして、上部に給水材２を通す穴のある内側の容器に培養土４を入れ、内外二重構造の容器の空間に貯水槽３を設ける。給水材２を逆Ｕ字型にしてその一端を貯水槽３にいれた水に浸漬し、他の一端を培養土４の中に埋め込んで、水が自動的かつ継続的に園芸植物に供給できる。【選択図】図１
0003118108.tif 000002
【実用新案登録請求の範囲】
【請求項１】
自動給水鉢１の本体を内外二重構造にして、上部に給水材を通す穴のある内側の容器に培養土４を入れ、内外二重構造の容器の空間に貯水槽３を設ける。給水材２を逆Ｕ字の形にしてその一端を貯水槽３に入れた水に浸漬し、他の一端を培養土４の中に埋め込んで、水が自動的かつ継続的に鉢植えの植物に供給できるような構造の自動給水鉢１。
【考案の詳細な説明】
【技術分野】
【０００１】
現在市販されている園芸用鉢は、頻繁に給水しないと植物が枯れてしまうので不便である。  
【考案の開示】
【課題を解決するための手段】
【０００２】
これを解決する手段として、図１に示す自動給水鉢を考案した。
二重構造の空間の貯水槽３に入れた水は、給水材２をつたわって園芸植物を植えた培養土４に、自動的かつ継続的に供給される。
給水材２としては、親水性の繊維よりなるテープや紐が好適である。
【考案の効果】
【０００３】
当考案による自動給水鉢を使用すると、園芸植物に頻繁に給水する必要がなくなり、水やりの手間が省ける。
【図面の簡単な説明】
【０００４】
【図１】自動給水鉢の断面図である。
【符号の説明】
【０００５】
１  自動給水鉢本体
２  給水材
３  貯水槽
４  培養土
【図１】
0003118108.tif 000003
【手続補正書】
【提出日】平成17年9月14日(2005.9.14)
【手続補正１】
【補正対象書類名】実用新案登録請求の範囲
【補正対象項目名】請求項１
【補正方法】変更
【補正の内容】
【請求項１】
自動給水鉢１の本体を内外二重構造にして、上部に給水材２を通す穴のある内側の容器に培養土４を入れ、内外二重構造の容器の空間に貯水槽３を設け、給水材２を逆Ｕ字の形にしての一端を貯水槽３にいれた水に浸漬し、他の一端を培養土４の中に埋め込んで、水が自動的かつ継続的に鉢植えの植物に供給できるような構造の自動給水鉢１。